(57)【要約】【課題】  電力照明装置を具えた回転指針システムの提供。【解決手段】  少なくとも一つの回転指針とこの回転指針の回転軸モジュールを具え、回転指針の軸着構造と回転軸モジュールの回転軸の結合により、回転指針が回転軸モジュールと協動する。回転軸モジュールの表面を複数の環型電極が被覆し、該環型電極は同軸の外環電極と同軸の内環電極を具えている。回転指針の回転軸モジュールに対向する第１表面にあって、複数の環型電極に対応する位置が複数の半環型電極で被覆され、この半環型電極に複数の電気的に接続されたスプリング電極が設けられ、この軸着構造と回転軸が結合された後、スプリング電極が複数の環型電極に接触し、複数の半環型電極が複数の環型電極に電気的に接続される。これにより回転軸モジュールに電気的に接続された複数の環型電極の電力照明装置が回転指針の尖端或いは第２表面に置かれて照明を提供する。【選択図】        図１
2006194631.tif 000002
【特許請求の範囲】
【請求項１】
電力照明装置を具えた回転指針システムにおいて、該電力照明装置を具えた回転指針システムは回転軸モジュール、回転指針、複数のスプリング電極を具え、
該回転軸モジュールは、回転軸を具えた回転軸構造を具え、該回転軸構造が複数の環型電極で被覆され、複数の環型電極が外環電極と内環電極を包含し、
該回転指針は、電力照明装置と該回転軸に結合される軸着構造を具え、該回転指針の該回転軸構造に対向する第１表面が、電力照明装置と電気的に接続され且つ複数の環型電極に対応する位置にある複数の半環型電極に被覆され、該複数の半環型電極が、該外環電極に対応する位置にある外半環電極と該内環電極に対応する位置にある内半環電極を包含し、
該複数のスプリング電極は、両端が複数の環型電極と複数の半環型電極に接触し並びにそれと電気的に接続されたことを特徴とする、電力照明装置を具えた回転指針システム。
【請求項２】
請求項１記載の電力照明装置を具えた回転指針システムにおいて、複数のスプリング電極が複数の外スプリング電極と複数の内スプリング電極を包含し、外半環電極が複数の外スプリング電極により外環電極に電気的に接続され、内半環電極が複数の内スプリング電極により内環電極に電気的に接続され、複数のスプリング電極が複数の半環型電極上に位置することを特徴とする、電力照明装置を具えた回転指針システム。
【請求項３】
請求項１記載の電力照明装置を具えた回転指針システムにおいて、回転指針の第１表面と反対の第２表面に複数の第２環型電極があり、該複数の第２環型電極が第２外環電極と第２内環電極を包含することを特徴とする、電力照明装置を具えた回転指針システム。
【請求項４】
請求項３記載の電力照明装置を具えた回転指針システムにおいて、回転軸モジュールが第２回転軸の第２回転軸構造を具え、該電力照明装置を具えた回転指針システムが更に回転指針の第２表面に位置する第２回転指針と複数の第２スプリング電極を具え、該第２回転指針が更に第２電力照明装置と、第２回転軸に結合された第２軸着構造とを具え、該第２回転指針の回転指針に対向する第１表面が電力照明装置と電気的に接続され且つ複数の第２環型電極に対応する位置にある複数の第２半環型電極に被覆され、複数の第２スプリング電極の両端が複数の第２環型電極と複数の第２半環型電極に接触し並びにそれと電気的に接続されたことを特徴とする、電力照明装置を具えた回転指針システム。
【請求項５】
請求項４記載の電力照明装置を具えた回転指針システムにおいて、電力照明装置を具えた回転指針システムが時計とされ、回転指針が時針とされ、第２回転指針が分針とされたことを特徴とする、電力照明装置を具えた回転指針システム。
【発明の詳細な説明】
【技術分野】
【０００１】
本発明は回転指針に係り、特に電力供給される回転指針に関する。
【背景技術】
【０００２】
回転指針は多くのマンマシンインタフェースの測定機器、例えば、腕時計、壁掛け時計、自動車のメーター等に広く応用されている。暗闇でも指数を読み取れるように、回転指針は通常蛍光材料で被覆されるか或いは尖端が装飾されている。このほか、メーター背板部分に外接光源が設けられて回転指針を照明する。
【０００３】
しかし、暗い環境では、蛍光材料の視覚効果は理想的でない。更に、発光程度と取り付け位置に制限されるために電力照明装置の提供する光が回転指針の全ての指示部分を照明できない場合がある。このため、回転指針に位置する電力照明装置に電力を供給して照明の視覚効果を改善する必要がある。
【発明の開示】
【発明が解決しようとする課題】
【０００４】
本発明は一種の回転指針システムを提供することを目的とし、それは少なくとも一つの回転指針とこの回転指針の回転軸モジュールを具えている。そのうち、上述の回転軸モジュールの回転軸線上には少なくとも一つの回転軸構造が設けられ、この回転軸構造は、回転軸を具えている。この回転軸に対応する軸着構造が上述の回転指針の回転軸線上に位置する。この軸着構造と回転軸の結合により、上述の回転指針とこの回転軸モジュールが協動する。上述の回転軸モジュール表面は複数の環型電極で被覆され、該環型電極は同軸の外環電極と同軸の内環電極を具えている。回転指針の回転軸モジュールに対向する第１表面にあって、複数の環型電極に対応する位置が複数の半環型電極で被覆される。この半環型電極は上述の外環電極に対応する外半環電極と、上述の内環電極に対応する内半環電極を具えている。この外半環電極に複数の外スプリング電極が設けられ、同様に、この内半環電極に複数の内スプリング電極が設けられている。この外半環電極がこの複数の外スプリング電極と電気的に接続され、同様にこの内半環電極はこの複数の内スプリング電極と電気的に接続されている。この軸着構造とこの回転軸が結合された後、上述のスプリング電極と上述の複数の環型電極が接触した後、上述の外半環電極が上述の外環電極に電気的に接続され、上述の内半環電極が上述の内環電極に電気的に接続される。これにより、上述の回転軸モジュールに電気的に接続された複数の環型電極の電力照明装置が、この回転指針の尖端或いは第２表面に置かれて照明を提供する。
【課題を解決するための手段】
【０００５】
請求項１の発明は、電力照明装置を具えた回転指針システムにおいて、該電力照明装置を具えた回転指針システムは回転軸モジュール、回転指針、複数のスプリング電極を具え、
該回転軸モジュールは、回転軸を具えた回転軸構造を具え、該回転軸構造が複数の環型電極で被覆され、複数の環型電極が外環電極と内環電極を包含し、
該回転指針は、電力照明装置と該回転軸に結合される軸着構造を具え、該回転指針の該回転軸構造に対向する第１表面が、電力照明装置と電気的に接続され且つ複数の環型電極に対応する位置にある複数の半環型電極に被覆され、該複数の半環型電極が、該外環電極に対応する位置にある外半環電極と該内環電極に対応する位置にある内半環電極を包含し、
該複数のスプリング電極は、両端が複数の環型電極と複数の半環型電極に接触し並びにそれと電気的に接続されたことを特徴とする、電力照明装置を具えた回転指針システムとしている。
請求項２の発明は、請求項１記載の電力照明装置を具えた回転指針システムにおいて、複数のスプリング電極が複数の外スプリング電極と複数の内スプリング電極を包含し、外半環電極が複数の外スプリング電極により外環電極に電気的に接続され、内半環電極が複数の内スプリング電極により内環電極に電気的に接続され、複数のスプリング電極が複数の半環型電極上に位置することを特徴とする、電力照明装置を具えた回転指針システムとしている。
請求項３の発明は、請求項１記載の電力照明装置を具えた回転指針システムにおいて、回転指針の第１表面と反対の第２表面に複数の第２環型電極があり、該複数の第２環型電極が第２外環電極と第２内環電極を包含することを特徴とする、電力照明装置を具えた回転指針システムとしている。
請求項４の発明は、請求項３記載の電力照明装置を具えた回転指針システムにおいて、回転軸モジュールが第２回転軸の第２回転軸構造を具え、該電力照明装置を具えた回転指針システムが更に回転指針の第２表面に位置する第２回転指針と複数の第２スプリング電極を具え、該第２回転指針が更に第２電力照明装置と、第２回転軸に結合された第２軸着構造とを具え、該第２回転指針の回転指針に対向する第１表面が電力照明装置と電気的に接続され且つ複数の第２環型電極に対応する位置にある複数の第２半環型電極に被覆され、複数の第２スプリング電極の両端が複数の第２環型電極と複数の第２半環型電極に接触し並びにそれと電気的に接続されたことを特徴とする、電力照明装置を具えた回転指針システムとしている。
請求項５の発明は、請求項４記載の電力照明装置を具えた回転指針システムにおいて、電力照明装置を具えた回転指針システムが時計とされ、回転指針が時針とされ、第２回転指針が分針とされたことを特徴とする、電力照明装置を具えた回転指針システムとしている。
【発明の効果】
【０００６】
本考案は一種の電力照明装置を具えた回転指針システムを提供し、それは、少なくとも一つの回転指針とこの回転指針の回転軸モジュールを具え、回転指針の軸着構造と回転軸モジュールの回転軸の結合により、回転指針が回転軸モジュールと協動する。回転軸モジュールの表面を複数の環型電極が被覆し、該環型電極は同軸の外環電極と同軸の内環電極を具えている。回転指針の回転軸モジュールに対向する第１表面にあって、複数の環型電極に対応する位置が複数の半環型電極で被覆され、この半環型電極に複数の電気的に接続されたスプリング電極が設けられ、この軸着構造と回転軸が結合された後、スプリング電極が複数の環型電極に接触し、複数の半環型電極が複数の環型電極に電気的に接続される。これにより回転軸モジュールに電気的に接続された複数の環型電極の電力照明装置が回転指針の尖端或いは第２表面に置かれて照明を提供する。
【発明を実施するための最良の形態】
【０００７】
図１，２には本発明の壁掛け時計１００の実施例が示されている。この壁掛け時計１００はケース１１０、文字盤１２０、文字盤１２０の後ろに位置するムーブメント１４０、ムーブメント１４０に位置する回転軸モジュール１３０及び電源モジュール１５０を具えている。この文字盤１２０上にあって、少なくとも時針１６０及び分針１７０が回転軸モジュール１３０に結合され、このほか、秒針１８０も増設されうる。
【０００８】
この実施例において、ムーブメント１４０の動力は上述の電源モジュール１５０により供給される。このムーブメント１４０により回転軸モジュール１３０が駆動され、これにより同軸の時針１６０、分針１７０及び秒針１８０が回転する。更に、この時針１６０、分針１７０、秒針１８０はいずれも少なくとも一つの電力照明装置を具えている。本発明では、上述の電力照明装置は軽量の発光ダイオード或いは慣性ガスを充填したバルブとされうるほか、時針１６０、分針１７０及び秒針１８０はいずれもプリント回路板とされうる。
【０００９】
この三つの回転指針上の電力照明装置はいずれも上述の電源モジュール１５０の電力供給を受けて照明機能を提供し、この電源モジュール１５０は、第１電極１５１と第２電極１５２を具備するものとされる。本実施例では、上述の第１電極１５１は正極とされ並びに上述の第２電極１５２は負極とされる。反対に、本実施例の変化実施例では、上述の第１電極１５１は負極とされ、第２電極１５２は正極とされる。
【００１０】
図２に示されるように、本発明の回転軸モジュール１３０は環型電極１３１と回転軸構造１３４を具えている。そのうち、環型電極１３１は更に外環電極１３２と内環電極１３３を具えている。該外環電極１３２は上述の電源モジュール１５０の第１電極１５１に電気的に接続され、並びに上述の内環電極１３３は上述の電源モジュール１５０の第２電極１５２に電気的に接続される。この実施例では、この回転軸構造１３４は上述の時針１６０と結合された時針回転軸１３５と上述の分針１７０に結合された分針回転軸１３６を具えている。この時針回転軸１３５と分針回転軸１３６は同軸とされいずれも時計回りに運動する。
【００１１】
図２と図３に示されるように、時針１６０の下表面は時針半環型電極１６１を具え、該時針半環型電極１６１は時針外半環電極１６２と時針内半環電極１６３を包含する。この時針１６０は更に時針外半環電極１６２に接続された時針外スプリング電極１６４と、この時針内半環電極１６３に接続された時針内スプリング電極１６５を具えている。図２と図３に示される時針１６０の上表面は時針環型電極１６６を具え、該時針環型電極１６６は、時針外環電極１６７と時針内環電極１６８を具えている。この時針１６０を通る複数の電気回路により、上述の時針外環電極１６７は時針外半環電極１６２と時針外スプリング電極１６４に電気的に接続される。並びに上述の時針内環電極１６８は時針内半環電極１６３と時針内スプリング電極１６５に電気的に接続される。上述の時針１６０と時針回転軸１３５が結合される時、この時針外スプリング電極１６４と外環電極１３２が接触し、また時針内スプリング電極１６５と内環電極１３３が接触する。これにより、本実施例では、上述の電源モジュール１５０の第１電極１５１が上述の時針外環電極１６７と時針外半環電極１６２に電気的に接続され、並びに上述の電源モジュール１５０の第２電極１５２は上述の時針内環電極１６８と時針内半環電極１６３と電気的に接続される。
【００１２】
同様に、図２と図３に示される分針１７０の下表面に分針半環型電極１７１が設けられ、それは、該分針半環電極１７１は分針外半環電極１７２と分針内半環電極１７３を包含する。この分針１７０は更に分針外半環電極１７２に接続された分針外スプリング電極１７４と、この分針内半環電極１７３に接続された分針内スプリング電極１７５を具えている。分針１７０分針回転軸１３６が結合される時、この分針外スプリング電極１７４と時針外環電極１６７が接触し、また分針内スプリング電極１７５と時針内環電極１６８が接触する。これにより、本実施例では、上述の電源モジュール１５０の第１電極１５１が上述の分針外半環電極１７２に電気的に接続され、並びに上述の電源モジュール１５０の第２電極１５２は上述の分針内半環電極１７３に電気的に接続される。
【００１３】
図２、３に示されるように、上述の時針１６０と分針１７０の表面には複数の電力電力照明装置１９０が設けられている。そのうち、上述の複数の電力照明装置１９０はそれぞれ上述の分針外半環電極１７２と分針内半環電極１７３、及び上述の時針外環電極１６７と時針内環電極１６８に電気的に接続されている。これにより、更に上述の電源モジュール１５０の第１電極１５１と第２電極１５２に電気的に接続される。即ち、この電源モジュール１５０が起動後、上述の複数の電力照明装置１９０もまた発光照明を開始する。
【図面の簡単な説明】
【００１４】
【図１】本発明の実施例の壁掛け時計の表示図である。
【図２】本発明の実施例の壁掛け時計の表示図である。
【図３】本発明の実施例の壁掛け時計の表示図である。
【符号の説明】
【００１５】
１００  壁掛け時計
１１０  ケース                    １２０  文字盤
１３０  回転軸モジュール          １３１  環型電極
１３２  外環電極                  １３３  内環電極
１３４  回転軸構造                １３５  時針回転軸
１３６  分針回転軸                １４０  ムーブメント
１５０  電源モジュール            １５１  第１電極
１５２  第２電極                  １６０  時針
１６１  時針半環型電極            １６２  時針外半環電極
１６３  時針内半環電極            １６４  時針外スプリング電極
１６５  時針内スプリング電極      １６７  時針外環電極
１６８  時針内環電極              １７０  分針
１７１  分針半環型電極            １７２  分針外半環電極
１７３  分針内半環電極            １７４  分針外スプリング電極
１７５  分針内スプリング電極      １８０  秒針
１９０  電力照明装置
【図１】
2006194631.tif 000003
【図２】
2006194631.tif 000004
【図３】
2006194631.tif 000005